(57)【要約】【課題】ガイドバーの調整を容易にする。【解決手段】光学部材を保持する保持部材を移動可能に支持して案内する案内軸と、案内軸の一端を支持する軸支持部と、案内軸の他端側において案内軸の軸方向と交差する方向へ突出した突出部と、突出部に対して偏芯した円筒面を有する円筒部材と、円筒部材の円筒面に当接すると共に、案内軸の軸方向と交差する方向の円筒部材の移動を規制する規制部材とを備え、円筒部材の回転に伴って突出部を案内軸の軸方向と交差する方向に変位させる。【選択図】図６
2011027935.tif 000002
【特許請求の範囲】
【請求項１】
光学部材を保持する保持部材を移動可能に支持して案内する案内軸と、
前記案内軸の一端を支持する軸支持部と、
前記案内軸の他端側において前記案内軸の軸方向と交差する方向へ突出した突出部と、
前記突出部に対して偏芯した円筒面を有する円筒部材と、
前記円筒部材の円筒面に当接すると共に、前記案内軸の軸方向と交差する方向の前記円筒部材の移動を規制する規制部材と
を備え、前記円筒部材の回転に伴って前記突出部を前記案内軸の軸方向と交差する方向に変位させるレンズ鏡筒。
【請求項２】
前記案内軸は、少なくとも一部が平面であり、前記平面に前記突出部を設けた請求項１に記載のレンズ鏡筒。
【請求項３】
前記平面は、前記軸方向と平行である請求項２に記載のレンズ鏡筒。
【請求項４】
前記案内軸の他端を、前記突出部の突出方向について規制して支持する他端側支持部を更に備える請求項１から請求項３までのいずれかに記載のレンズ鏡筒。
【請求項５】
前記軸支持部および前記規制部を前記軸方向に移動可能に保持する第二保持部材を更に備える請求項１から請求項４までのいずれかに記載のレンズ鏡筒。
【請求項６】
前記保持部材を移動可能に支持して案内すると共に、前記軸支持部に一端が支持される他の案内軸と、
前記他の案内軸の他端側において前記他の案内軸の軸方向に交差する方向に突出した他の突出部と、
前記他の突出部に対して偏芯した円筒面を有する他の円筒部材と、
前記他の円筒部材の円筒面に当接すると共に、前記案内軸の軸方向と交差する方向の前記他の円筒部材の移動を規制する規制部と
を備え、前記他の円筒部材の回転に伴って前記他の突出部を前記案内軸の軸方向と交差する方向に変位させる請求項１から請求項５までのいずれかに記載のレンズ鏡筒。
【請求項７】
請求項１から請求項６までのいずれかに記載のレンズ鏡筒と、
前記光学部材により結像された像を撮像する撮像部と
を備えたことを特徴とする撮像装置。
【発明の詳細な説明】
【技術分野】
【０００１】
本発明はレンズ鏡筒および撮像装置に関する。
【背景技術】
【０００２】
鏡筒内を光軸方向に移動する光学部品を、光軸方向に延在するガイドバーで案内する光学系鏡筒がある。特許文献１には、ガイドバーの端部に偏心部分を設けて偏心コマを回転することによりガイドバーの延在方向を調節可能な構成が記載されている。
【先行技術文献】
【特許文献】
【０００３】
【特許文献１】特開平０５−０６６３３５号公報
【発明の概要】
【発明が解決しようとする課題】
【０００４】
しかしながら、上記ガイドバー端部は円を描いて移動するため、調整作業が煩雑になるという問題があった。
【課題を解決するための手段】
【０００５】
そこで、上記課題を解決すべく、本発明の第一態様として、光学部材を保持する保持部材を移動可能に支持して案内する案内軸と、案内軸の一端を支持する軸支持部と、案内軸の他端側において案内軸の軸方向と交差する方向へ突出した突出部と、突出部に対して偏芯した円筒面を有する円筒部材と、円筒部材の円筒面に当接すると共に、案内軸の軸方向と交差する方向の円筒部材の移動を規制する規制部材とを備え、円筒部材の回転に伴って突出部を案内軸の軸方向と交差する方向に変位させるレンズ鏡筒が提供される。
【０００６】
本発明の第二態様として、上記レンズ鏡筒と、光学部材により結像された像を撮像する撮像部とを備えた撮像装置が提供される。
【図面の簡単な説明】
【０００７】
【図１】撮像装置３００の模式的断面図である。
【図２】移動筒組立体４００の斜視図である。
【図３】移動筒組立体４００の斜視図である。
【図４】移動筒組立体４００の部分断面図である。
【図５】偏心駒４４０の作用を示す図である。
【図６】偏心駒４４０の斜視図である。
【図７】ガイドバー４２０の他の構造を示す部分断面図である。
【発明を実施するための形態】
【０００８】
以下、発明の実施の形態を通じて本発明を説明するが、以下の実施形態は特許請求の範囲にかかる発明を限定するものではない。実施形態の中で説明されている特徴の組み合わせの全てが発明の解決手段に必須であるとは限らない。
【０００９】
図１は、撮像装置３００の模式的断面図である。撮像装置３００は、交換レンズ１００と、交換レンズ１００を装着されたカメラボディ２００とを含む。
【００１０】
交換レンズ１００は、固定筒１１０、移動筒４１０およびレンズＬ１〜Ｌ６を有する。固定筒１１０は、一端を、カメラボディ２００のマウント２６０に結合される。固定筒１１０の周面には、ピントリング１２０およびズームリング１３０等が配される。ピントリング１２０およびズームリング１３０は、固定筒１１０の周面に沿って回転させることができる。
【００１１】
レンズＬ１〜Ｌ６の各々は、レンズ保持枠１４０、１５０、１６０、１７０、１８０、１９０に、それぞれ保持される。レンズ保持枠１８０は、レンズＬ５と共に、絞り装置２２２も保持する。これらのレンズＬ１〜Ｌ６および絞り装置２２２は、光軸Ｘに沿って配列されて光学系をなす。前端のレンズＬ１を保持するレンズ保持枠１４０と、後端のレンズＬ６を保持するレンズ保持枠１９０は固定筒から支持される。
【００１２】
これに対して、レンズ保持枠１６０およびレンズ保持枠１８０は、移動筒４１０から指示される。レンズ保持枠１６０およびレンズ保持枠１８０は、移動筒４１０に対して固定され、移動筒４１０と共に固定筒１１０に対して移動する。レンズ保持枠１７０は、移動筒４１０に対して固定された一対のガイドバー４２０に支持される。レンズ保持枠１５０は、移動筒４１０の前端に固定される。これら、レンズ保持枠１５０、１６０、１７０、１８０、移動筒４１０およびガイドバー４２０は移動筒組立体４００を形成する。
【００１３】
固定筒１１０の内面と光学系との間には、カムリング４３０が配される。カムリング４３０は、回転操作されたズームリング１３０により回転駆動される。回転するカムリング４３０は、レンズ保持枠１９０および移動筒組立体４００を、光軸Ｘの方向に移動させる。これにより、交換レンズ１００における光学系の焦点距離が変化する。
【００１４】
カメラボディ２００は、主鏡２４０、ペンタプリズム２７０、ファインダ光学系２９０を含む光学系と、主制御部２５０とを収容する。主鏡２４０は、交換レンズ１００の光学系を通じて入射した入射光の光路上に傾斜して配置される測光位置と、入射光を避けて上昇する撮影位置（図中に点線で示す）との間を移動する。
【００１５】
測光位置にある主鏡２４０は、入射光の大半を、上方に配置されたフォーカシングスクリーン２７２に導く。フォーカシングスクリーン２７２は、交換レンズ１００の光学系が合焦した場合に像を結ぶ位置に配置され、当該像を可視化する。
【００１６】
フォーカシングスクリーン２７２に結像された画像は、ペンタプリズム２７０を介してファインダ光学系２９０から観察される。これにより、ユーザは、ファインダ光学系２９０から、フォーカシングスクリーン２７２上の映像を正像として見る。
【００１７】
ペンタプリズム２７０およびファインダ光学系２９０の間にはハーフミラー２９２が配置される。ハーフミラー２９２は、ファインダＬＣＤ２９４に形成された表示画像を、フォーカシングスクリーン２７２の映像に重畳させる。これにより、ユーザは、ファインダ光学系２９０において、フォーカシングスクリーン２７２の映像と、ファインダＬＣＤ２９４の映像とを併せて見られる。なお、ファインダＬＣＤ２９４には、撮像装置３００に設定された撮影条件等の情報が表示される。
【００１８】
ペンタプリズム２７０の出射光の一部は、測光部２８０に導かれる。測光部２８０は、入射光の強度およびその分布等を測定して、撮影条件を決定する場合に測定結果を後述する制御部２５０に参照させる。
【００１９】
入射光に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００２０】
交換レンズ１００からの入射光に対して主鏡２４０の後方には、シャッタ２２０、光学フィルタ２１２および撮像素子２１０が光軸Ｘに沿って配される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００２１】
カメラボディ２００は、交換レンズ１００に対して背面において、外部に面したメインＬＣＤ２９６を備える。メインＬＣＤ２９６は、カメラボディ２００に対する各種の設定情報を表示する他、主鏡２４０が撮影位置に移動している場合に撮像素子２１０に撮影された画像を表示する。
【００２２】
主制御部２５０は、上記のような種々の動作を総合的に制御する。即ち、焦点検出装置２３０が検出した合焦情報を参照して、交換レンズ１００のオートフォーカス機構、フラッシュ装置の調光機構等を制御する。主制御部２５０は、測光部２８０から得られた露出情報を参照して、交換レンズ１００の絞り装置２２２の動作を制御する。
【００２３】
図２は、移動筒組立体４００の分解斜視図である。移動筒組立体４００は、レンズ保持枠１５０、１６０、１７０、１８０、ガイドバー４２０、絞り装置２２２および移動筒４１０を有する。移動筒４１０は、略円筒形であり、周面にカム溝４１２およびビス穴４１４を有する。
【００２４】
レンズ保持枠１５０は、移動筒４１０の前端に固定される。レンズ保持枠１５０はレンズＬ２を保持するので、レンズＬ２は、移動筒４１０と共に移動する。
【００２５】
レンズ保持枠１６０は、移動筒４１０の内径と略同じ外径を有する。レンズ保持枠１６０は、レンズ保持枠１６０の径方向に穿たれたビス穴１６６を周面に有する。レンズ保持枠１６０は、周面から径方向に突出した一対の軸受け部１６２を有する。軸受け部１６２は、光軸Ｘと平行な軸受け穴１６４を有する。軸受け穴１６４は、後述するガイドバー４２０の一端を支持する。
【００２６】
レンズ保持枠１７０は、移動筒４１０の内径よりも小さな外径を有する。レンズ保持枠１７０は、周面から径方向に突出したカムフォロワ１７２および軸受け部１７４を有する。軸受け部１７４は、光軸Ｘ方向に間隔をおいて配される。軸受け部１７４には、それぞれガイドバー４２０が挿通される。
【００２７】
なお、ガイドバー４２０の後端近傍には、偏心駒４４０が配される。偏心駒４４０は、ガイドバー４２０の長手方向に直交する軸によりガイドバー４２０に取り付けられて、当該軸の周りを回転する。偏心駒４４０の構造および作用については後述する。
【００２８】
移動筒４１０の周面には、レンズ保持枠１７０から突出するカムフォロワ１７２および軸受け部１７４との干渉を避ける逃げ穴４１６が配される。絞り装置２２２は、レンズ保持枠１７０の一方の面に装着される。これにより、絞り装置２２２は、レンズＬ５と共にレンズ保持枠１７０に保持される。
【００２９】
レンズ保持枠１８０は、移動筒４１０の外径と略同じ外径を有する。レンズ保持枠１８０の一方の面は、移動筒４１０の端面と相補的な形状の部分を有する。これにより、レンズ保持枠１８０は、移動筒４１０の後端に取り付けることができる。
【００３０】
レンズ保持枠１８０は、大長穴１８２および小長穴１８４を有する。大長穴１８２は、長手方向が光軸Ｘと平行に周面に配され、レンズ保持枠１８０の周面から内面まで貫通する。大長穴１８２は、レンズ保持枠１８０の接線方向よりも光軸Ｘ方向に長い。これにより、大長穴１８２は、レンズ保持枠１８０の周面に、光軸Ｘ方向に延在する平行面を形成する。平行面の間隔は偏心駒４４０の外径に略等しい。
【００３１】
小長穴１８４は、レンズ保持枠１８０の端面を貫通する。小長穴１８４は、レンズ保持枠１８０の周面に対する接線方向に延在して、当該接線方向の平行面を形成する。
【００３２】
図３は、組み立てられた移動筒組立体４００の外観を示す斜視図である。レンズ保持枠１８０が移動筒４１０の後端に取り付けられて一体となっている。レンズ保持枠１８０の前方に位置する逃げ穴４１６の内側には、軸受け部１６２、１７４、カムフォロワ１７２およびガイドバー４２０が位置する。
【００３３】
レンズ保持枠１６０は、ビス穴４１４に挿通されてビス穴１６６に螺入されたビス４１５により、移動筒４１０の内側に固定される。レンズ保持枠１６０の軸受け部１６２は、ガイドバー４２０の前端に嵌合して、ガイドバー４２０の前端を支持する。レンズ保持枠１７０の軸受け部１７４には、ガイドバー４２０が挿通される。
【００３４】
なお、軸受け部１６２、１７４およびガイドバー４２０は、移動筒４１０外周面を含む円筒の内側に位置して、移動筒組立体４００の外側に突出していない。これに対して、レンズ保持枠１７０のカムフォロワ１７２は、移動筒組立体４００の外側まで突出する。レンズ保持枠１８０の大長穴の内部には、偏心駒４４０の頂部が挿入される。
【００３５】
図４は、移動筒組立体４００の偏心駒４４０の周辺を拡大して示す部分断面図である。偏心駒４４０はガイドバー４２０の周面に取り付けられる。
【００３６】
ガイドバー４２０は、周面の一部を削って形成された平坦な支持面４２４を有する。偏心駒４４０は、その下端面を支持面４２４に当接させ、ガイドバー４２０のビス穴４２６に螺入された段付きビス４４１により、ガイドバー４２０に対して取り付けられる。
【００３７】
これにより、段付きビス４４１を締め込んだ場合、偏心駒４４０は、ガイドバー４２０の側面に強固に固定される。一方、段付きビス４４１を緩めた場合、偏心駒４４０は、ガイドバー４２０の長手方向に対して直角な軸の周りに回転させることができる。このように、段付きビス４４１は、偏心駒４４０の回転軸と、偏心駒４４０をガイドバー４２０に固定して、調整後のガイドバー４２０を固定する部材とを兼ねる。
【００３８】
ガイドバー４２０は、テーパ部４２２を有する前端（図中左側）を軸受け穴１６４に挿入される。テーパ部４２２は、ガイドバー４２０の先端に近づく程細くなるので、後述するようにガイドバー４２０の延在方向が変化した場合に、ガイドバー４２０に対する曲げ応力の発生が抑制される。ガイドバー４２０の先端を軸受け穴１６４に挿入する場合の作業性が向上される。
【００３９】
ガイドバー４２０の後端は、軸方向に対して直角に断ち落とされて、移動筒４１０の接線方向に延在する小長穴１８４に挿入されている。平行面の間隔は、ガイドバー４２０の外径に略等しいので、小長穴１８４に挿入されたガイドバー４２０の後端は、小長穴１８４の長手方向（紙面に垂直な方向）に変位する一方で、移動筒４１０の径方向には変位しない。
【００４０】
なお、レンズ保持枠１７０のカムフォロワ１７２は、カムリング４３０のカム溝４３２に係合する。これにより、レンズ保持枠１７０は、カムリング４３０から直接に駆動されて、ガイドバー４２０に沿って光軸Ｘ方向に移動する。
【００４１】
図４は、図１および図２における上側のガイドバー４２０を示している。しかしながら、要求に応じて、下側のガイドバー４２０にも同様の機能を果たす偏心駒４４０を設け得ることはいうまでもない。
【００４２】
図５は、偏心駒４４０の作用を示す模式図である。大長穴１８２は、光軸Ｘと平行な方向に延在する。偏心駒４４０は、円筒形の周面を大長穴１８２に内接させるので、大長穴１８２の内側で、紙面に垂直な回転軸Ｃ１の周りに回転する。
【００４３】
段付きビス４４１は、偏心駒４４０の回転軸Ｃ１から距離Ｅずれた位置に中心Ｃ２をおいて、偏心駒４４０を貫通して、回転軸Ｃ１に平行にねじ込まれる。偏心駒４４０が回転軸Ｃ１の周りに回転した場合、大長穴１８２に挟まれた方向については、偏心駒４４０の変位が規制される。これにより、段付きビス４４１は、大長穴１８２の長手方向と直交する方向に変位する。従って、段付きビス４４１を螺入されたガイドバー４２０も変位する。
【００４４】
既に説明した通り、ガイドバー４２０の一端は、軸受け穴１６４により位置決めされている。従って、ガイドバー４２０の他端が変位した場合、ガイドバー４２０の延在方向が変化する。
【００４５】
図６は、段付きビス４４１を挿通された偏心駒４４０の斜視図である。偏心駒４４０の上面は、中央部４４５が周縁部４４４よりも低い。偏心駒４４０に挿通された段付きビス４４１の上面は、低い中央部４４５と同じ高さになる。段付きビス４４１は、ドライバ等の工具の先端が入るネジ溝４４３を上面に有する。なお、段付きビス４４１のネジ溝４４３の形状はマイナス型に限られるわけではなく、工具の回転を段付きビス４４１に伝え得る形状であれば、十字、星型、多角形等でもよい。
【００４６】
偏心駒４４０上面の周縁部４４４には、偏心駒４４０の直径に沿って形成された調整溝４４２が配される。調整溝４４２の深さは、中央部４４５の表面と同じか、中央部４４５よりも浅い。
【００４７】
これにより、段付きビス４４１のネジ溝４４３の幅に合った工具を用いて、段付きビス４４１を締めつけまたは緩めることができる。偏心駒４４０の径に等しい歯幅を有する工具を用いた場合は、段付きビス４４１を回転させることなく、偏心駒４４０を回転させることができる。
【００４８】
以上のような構造を有する移動筒組立体４００は、組み立てられた移動筒組立体４００の外側から、ネジ溝４４３に歯幅の狭い工具を入れて段付きビス４４１を緩めることにより、偏心駒４４０がガイドバー４２０に対して回転する状態にできる。この状態で、歯幅の広い工具を偏心駒４４０の調整溝４４２に入れて偏心駒４４０を回転させることにより、移動筒４１０の内側に配されたガイドバー４２０の延在方向を、移動筒組立体４００の外側から調節できる。調節されたガイドバー４２０の位置は、再び歯幅の狭い工具を用いて段付きビス４４１を締め込むことにより固定される。
【００４９】
図７は、ガイドバー４２０の他の構造を示す部分断面図である。なお、他の形態と共通する要素には同じ参照番号を付して重複する説明を省く。
【００５０】
ガイドバー４２０は、互いに直交する一対の偏心駒４４０、４５０を有する。一方の偏心駒４４０は、既に説明した通り、レンズ保持枠１８０の径方向への変位を大長穴１８２に規制されつつレンズ保持枠１８０の径方向の軸の周りに回転して、ガイドバー４２０の一端を、移動筒４１０の接線方向に移動させる。
【００５１】
もう一方の偏心駒４５０は、偏心駒４４０に対して直交するようにガイドバー４２０の周面に配される。偏心駒４５０と、偏心駒４５０をガイドバー４２０に取り付ける段付きビス４５１の形状および構造は、偏心駒４４０および段付きビス４４１と等しい。即ち、段付きビス４５１は、偏心駒４５０を貫通してガイドバー４２０にねじ込まれ、偏心駒４５０の回転軸Ｃ３をなすと共に、締め込まれた場合に、偏心駒４５０をガイドバー４２０に固定する。なお、レンズ保持枠１８０に設けられた作業穴１８３を通じて、偏心駒４５０および段付きビス４５１は、移動筒組立体４００の外側から操作できる。
【００５２】
偏心駒４５０の周面は、レンズ保持枠１８０の内側に、レンズ保持枠１８０の接線方向に配された当接面１８６に接する。偏心駒４５０は、板バネ４５４に付勢されて、当接面１８６に向かって押し付けられる。板バネ４５４の一端は、ビス４５６によりレンズ保持枠１８０の内面に固定される。
【００５３】
このような構造により、作業穴１８３を通じて挿入した工具をネジ溝４５３を嵌めることにより、段付きビス４５１を緩め、または締めつけることができる。作業穴１８３を通じて挿入した工具の先端を調整溝４５２に嵌めることにより、偏心駒４５０を回転させることができる。偏心駒４５０を回転させた場合、ガイドバー４２０は、レンズ保持枠１８０の径方向に移動する。
【００５４】
このように、一対の偏心駒４４０、４５０を備えた構造では、ガイドバー４２０の一端を、互いに異なる２つの方向に直線的に移動させることができる。従って、ガイドバー４２０の端部の位置を求められた位置に合わせて、ガイドバー４２０の延在方向を容易且つ確実に調節できる。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５６】
１００  交換レンズ、１１０  固定筒、１２０  ピントリング、１３０  ズームリング、１４０、１５０、１６０、１７０、１８０、１９０  レンズ保持枠、１６２、１７４  軸受け部、１６４  軸受け穴、１６６、４１４、４２６  ビス穴、１７２  カムフォロワ、１８２  大長穴、１８３  作業穴、１８４  小長穴、１８６  当接面、２００  カメラボディ、２１０  撮像素子、２１２  光学フィルタ、２２０  シャッタ、２２２  絞り装置、２３０  焦点検出装置、２４０  主鏡、２４２  副鏡、２５０  制御部、２６０  マウント、２７０  ペンタプリズム、２７２  フォーカシングスクリーン、２８０  測光部、２９０  ファインダ光学系、２９２  ハーフミラー、２９４  ファインダＬＣＤ、２９６  メインＬＣＤ、３００  撮像装置、４００  移動筒組立体、４１０  移動筒、４１２  カム溝、４１５、４５６  ビス、４１６  逃げ穴、４２０  ガイドバー、４２２  テーパ部、４２４  支持面、４３０  カムリング、４３２  カム溝、４４０、４５０  偏心駒、４４１、４５１  段付きビス、４４２、４５２  調整溝、４４３、４５３  ネジ溝、４５４  板バネ、４４４  周縁部、４４５  中央部
【図１】
2011027935.tif 000003
【図２】
2011027935.tif 000004
【図３】
2011027935.tif 000005
【図４】
2011027935.tif 000006
【図５】
2011027935.tif 000007
【図６】
2011027935.tif 000008
【図７】
2011027935.tif 000009